(57)【要約】【課題】限られた数の共通チャネルおよび個別チャネルのリソースを用いて無数の基地局を含む仮想フィールドにおける無線移動端末のフィールド試験が行えること。【解決手段】少なくとも仮想フィールドに配置した基地局の管理および仮想フィールドにおける電波伝搬路環境の管理を行うシステム制御部１０と、仮想フィールドにおいて試験端末１４を取り囲む複数の基地局を模擬する共通チャネルおよび個別チャネルのリソースを提供する複数基地局模擬部１２と、システム制御部１０の制御下に複数基地局模擬部１２が提供するリソースを用いて試験端末１４と送受信する基地局を制御する基地局制御部１１と、基地局制御部１１が制御する基地局と試験端末１４との間で交換される無線信号にシステム制御部１０が指示する電波伝搬路環境を生成して負荷する電波伝搬路環境生成部１３とを備えている。【選択図】        図１
2005244690.tif 000002
【特許請求の範囲】
【請求項１】
少なくとも仮想フィールドに配置した基地局の管理および仮想フィールドにおける電波伝搬路環境の管理を行うシステム制御部と、
前記仮想フィールドにおいて前記無線移動端末を取り囲む複数の基地局を模擬する共通チャネルおよび個別チャネルのリソースを提供する複数基地局模擬部と、
前記システム制御部の制御下に前記複数基地局模擬部が提供するリソースを用いて前記無線移動端末と送受信する基地局を制御する基地局制御部と、
前記基地局制御部が制御する基地局と前記無線移動端末との間で交換される無線信号に前記システム制御部が指示する電波伝搬路環境を生成して負荷する電波伝搬路環境生成部と、
を備えることを特徴とする仮想フィールド試験装置。
【請求項２】
前記システム制御部は、
無線移動端末の移動、発着呼制御および状態管理を行う手段、
を備えることを特徴とする請求項１に記載の仮想フィールド試験装置。
【請求項３】
前記システム制御部は、
共通チャネルの送受信では前記無線移動端末をカバーする基地局のセクタとキャリア周波数とで模擬し、前記無線移動端末の移動に伴って模擬する基地局、セクタ、キャリア周波数を切り替えるように前記基地局制御部を制御する手段、
を備えることを特徴とする請求項１または２に記載の仮想フィールド試験装置。
【請求項４】
前記システム制御部は、
個別チャネルの送受信では前記無線移動端末が同時に通信を行う基地局のセクタ、キャリア周波数でのみ模擬し、前記無線移動端末の移動に伴なうハンドオーバー処理に従って模擬する基地局、セクタ、キャリア周波数を切り替えるように前記基地局制御部を制御する手段、
を備えることを特徴とする請求項１または２に記載の仮想フィールド試験装置。
【請求項５】
前記基地局制御部は、
前記複数基地局模擬部が提供するリソースに空きがない場合は、セクタの追加を行うと同時に不要セクタにおける送受信を停止し、新たに追加されるセクタにおける送受信模擬を行うための共通チャネルおよび個別チャネルのリソースを前記複数基地局模擬部に確保する手段、
を備えることを特徴とする請求項３または４に記載の仮想フィールド試験装置。
【発明の詳細な説明】
【技術分野】
【０００１】
この発明は、無線移動通信システムのフィールド試験を屋内で実施する仮想フィールド試験装置に関するものである。
【背景技術】
【０００２】
無線移動端末の動作試験を屋外に出て車に乗りながら、あるいは、市街地を歩きながら行うフィールド試験では、多大な労力を要する。そこで、フィールド試験を屋内で効率よく実施する技術が提案されている（例えば、特許文献１）。
【０００３】
【特許文献１】特開平１１−１８６９７３号公報
【発明の開示】
【発明が解決しようとする課題】
【０００４】
しかしながら、セルラー系の無線移動通信システムにおいて特徴的な点は、ハンドオーバー処理によって無線移動端末が、その移動に伴って通信する基地局を次々と切り替えて行くという点であるので、無線移動端末のフィールド試験を仮想的に行うには、原理的に無数の基地局が必要になる。
【０００５】
上記特許文献１に記載の技術では、無線移動端末と通信を行う基地局の数だけの基地局模擬手段が必要である。例えば、高層ビルが建ち並ぶ市街地などでのフィールド試験を実施するには、通信品質を確保するためにカバレッジ範囲の狭い基地局を密集させる必要があるので、仮想フィールド試験装置の規模が増大するという問題がある。
【０００６】
その結果、無線移動端末の移動する範囲を狭くして無線移動端末と通信する基地局の数を仮想フィールド試験装置の制約内に収める必要があるので、多くの基地局とのハンドオーバーを要するフィールド試験の再現性を低下させる要因ともなっている。
【０００７】
この発明は、上記に鑑みてなされたものであり、限られた数の共通チャネルおよび個別チャネルのリソースを用いて無数の基地局を含む仮想フィールドにおける無線移動端末のフィールド試験が行える仮想フィールド試験装置を得ることを目的とする。
【課題を解決するための手段】
【０００８】
上述した目的を達成するために、この発明にかかる仮想フィールド試験装置は、少なくとも仮想フィールドに配置した基地局の管理および仮想フィールドにおける電波伝搬路環境の管理を行うシステム制御部と、前記仮想フィールドにおいて前記無線移動端末を取り囲む複数の基地局を模擬する共通チャネルおよび個別チャネルのリソースを提供する複数基地局模擬部と、前記システム制御部の制御下に前記複数基地局模擬部が提供するリソースを用いて前記無線移動端末と送受信する基地局を制御する基地局制御部と、前記基地局制御部が制御する基地局と前記無線移動端末との間で交換される無線信号に前記システム制御部が指示する電波伝搬路環境を生成して負荷する電波伝搬路環境生成部とを備えることを特徴とする。
【０００９】
この発明によれば、複数基地局模擬部が提供する共通チャネルおよび個別チャネルのリソースは限られているが、模擬する基地局に応じて変更利用することができるので、無数の基地局を含む仮想フィールドにおける無線移動端末のフィールド試験が行える。
【発明の効果】
【００１０】
この発明によれば、基地局を模擬するために用意した限られた数の共通チャネルおよび個別チャネルのリソースを用いて無数の基地局を含む仮想フィールドにおける無線移動端末のフィールド試験が行えるという効果を奏する。
【発明を実施するための最良の形態】
【００１１】
以下に図面を参照して、この発明にかかる仮想フィールド試験装置の好適な実施の形態を詳細に説明する。
【００１２】
図１は、この発明の一実施の形態である仮想フィールド試験装置の構成を示すブロック図である。図１に示す仮想フィールド試験装置は、システム制御部１０と、システム制御部１０に接続される基地局制御部１１、電波伝搬路環境生成部１３および無線移動端末（以降「試験端末」と記す）１４と、基地局制御部１１と電波伝搬路環境生成部１３との間に介在する複数基地局模擬部１２とを備えている。
【００１３】
システム制御部１０は、仮想フィールドに配置した基地局の管理、仮想フィールドにおける電波伝搬路環境の管理、試験端末１４の移動、発着呼制御および状態管理を行う機能を備えている。複数基地局模擬部１２は、ベースバンド信号送信部１２ａとベースバンド信号受信部１２ｂとで構成され、前記仮想フィールドにおいて試験端末１４を取り囲む複数の基地局を模擬する限られた数の共通チャネルおよび個別チャネルのリソースを提供する機能を備えている（図２、図３参照）。基地局制御部１１は、システム制御部１０の制御下に複数基地局模擬部１２が提供するリソースを用いて試験端末１４と送受信する基地局を模擬する機能を備えている。電波伝搬路環境生成部１３は、基地局制御部１１が制御する基地局と試験端末１４との間で交換される無線信号にシステム制御部１０が指示する電波伝搬路環境を生成して負荷する機能を備えている。
【００１４】
図２は、図１に示す複数基地局模擬部におけるベースバンド信号送信部の構成例を示すブロック図である。図３は、図１に示す複数基地局模擬部におけるベースバンド信号受信部の構成例を示すブロック図である。なお、図２と図３では、この発明の理解を容易にするため、代表的なチャネルのみが示されているが、この発明は、これに限定されるものではない。各システムにおいて定義される他の上り下りのチャネルを用いる場合もこの発明に含まれることは言うまでもない。
【００１５】
図２において、ベースバンド信号送信部１２ａは、例えば、４つの下りチャネルベースバンド処理部２１，２２，２３，２４で構成されている。下りチャネルベースバンド処理部２１は、試験端末１４に報知情報を送信するための下り共通チャネルのベースバンド処理部であって、Ｋ個の報知チャネル送信リソース２１−１〜２１−Ｋを備えている。下り共通チャネルのベースバンド処理部２２は、試験端末１４がセルをサーチするための下り共通チャネルのベースバンド処理部であって、Ｌ個のパイロットチャネル送信リソース２２−１〜２２−Ｌを備えている。
【００１６】
下り共通チャネルのベースバンド処理部２３は、試験端末１４への接続要求を送信するための下り共通チャネルのベースバンド処理部であって、Ｍ個のページングチャネル送信リソース２３−１〜２３−Ｍを備えている。下り個別チャネルのベースバンド処理部２４は、試験端末１４と通話およびデータ通信を行うための下り個別チャネルのベースバンド処理部であって、Ｎ個の個別チャネル送信リソース２４−１〜２４−Ｎを備えている。
【００１７】
図３において、ベースバンド信号受信部１２ｂは、例えば、２つの上りチャネルベースバンド処理部３１，３２で構成されている。上りチャネルベースバンド処理部３１は、試験端末１４からの接続要求や低レートのデータ通信などを行うための上り共通チャネルのベースバンド処理部であって、Ｐ個のランダムアクセスチャネル受信リソース３１−１〜３１−Ｐを備えている。上りチャネルベースバンド処理部３２は、試験端末１４と通話およびデータ通信を行うための上り個別チャネルのベースバンド処理部であって、Ｑ個の個別チャネル受信リソース３２−１〜３２−Ｑを備えている。
【００１８】
ここで、ベースバンド信号送信部１２ａおよびベースバンド信号受信部１２ｂに用意する各共通チャネルおよび個別チャネルの送受信リソース数Ｋ，Ｌ，Ｍ，Ｎ，Ｐ，Ｑは、移動通信システムにおいて端末及び基地局に要求される最大同時測定共通チャネル数、対応キャリア周波数、また、フィールド上の基地局配置などから決定される。以下、図４を参照して説明する。
【００１９】
図４は、図２に示す送信リソースの数と図３に示す受信リソースの数との決定方法を説明する図である。図４において、試験端末１４が使用する対応キャリア周波数（上り）は最大４個であり、また基地局が使用する対応キャリア周波数（下り）も最大４個である。また、同時に通信可能な最大個別チャネル数は最大８個であり、試験端末１４をカバーするセクタ数は最大８個である。なお、上り周波数は、ｆc1，ｆc2，ｆc3，ｆc4と表記されている。また、下り周波数はＦc1，Ｆc2，Ｆc3，Ｆc4と表記されている。
【００２０】
この場合、試験端末１４は、カバーする各セクタでのキャリア周波数において共通チャネルの受信品質測定を行い、通信を開始するセクタおよびキャリア周波数を決定し、ハンドオーバー処理を行うための測定情報を報告するために、最大８個のセクタそれぞれにおいて４つのキャリア周波数で共通チャネルを受信できる必要がある。したがって、ベースバンド信号送信部１２ａにおける共通チャネルの送信リソース数Ｋ，Ｌ，Ｍは、
Ｋ＝Ｌ＝Ｍ＝（試験端末をカバーする最大セクタ数）×（対応キャリア周波数の最大値)＋α＝８×８＋α＝６４＋α      ・・・・（１）
と定めることができる。
【００２１】
なお、式（１）において、定数αは、試験端末１４の移動に伴い通信を模擬する基地局とセクタを連続的に切り替えるための予備リソース数である。この定数αは、次のようにして求めることができる。例えば、試験端末１４をカバーするセクタの最大数が３であり、試験端末１４の移動に伴い試験端末１４をカバーするセクタがセクタＡ，Ｂ，ＣからセクタＣ，Ｄに変化する場合、以下のように各セクタの模擬を行うことで連続的なセクタの切り替えを実現することができる。
【００２２】
すなわち、まず、新たにセクタＤの模擬を開始する。このときの試験端末１４をカバーするセクタは、Ａ，Ｂ，Ｃ，Ｄである。次に、試験端末１４をカバーしなくなったセクタＡ，Ｂの模擬を停止する。その結果、試験端末１４をカバーするセクタはＣ，Ｄである。この場合、試験端末１４をカバーするセクタ数の最大値が３であり新たに１つのセクタが追加されるので、試験端末１４をカバーするセクタ数が一時的に最大数を超える。例えば一度に追加できるセクタ数は１とし、複数のセクタを追加する場合にはセクタ追加処理を複数回繰り返すことにすれば、α＝１とすることができる。
【００２３】
また、図４に示すように、基地局と試験端末１４との間で同時に通信が行える個別チャネルの最大値が８である場合、基地局では８以上の個別チャネルの送受信を行う必要がないので、個別チャネル送受信リソース数Ｎ，Ｑは、Ｎ＝Ｑ＝８と定めることができる。
【００２４】
次に、図５は、図１に示すシステム制御部が基地局制御部に与える基地局運用パラメータの一例を示す図である。図５では、３つの基地局ＢＴＳ１，ＢＴＳ２，ＢＴＳ３のそれぞれについて、「対応キャリア周波数（上り）」「対応キャリア周波数（下り）」「セクタ構成」「対応物理チャネル」が規定されている。
【００２５】
基地局ＢＴＳ１では、対応キャリア周波数（上り）は、４つ（ｆc1，ｆc2，ｆc3，ｆc4）であり、対応キャリア周波数（下り）も、同様に４つ（Ｆc1，Ｆc2，Ｆc3，Ｆc4）である。セクタ構成は、９０°毎に分割された４個のセクタで構成されるとしている。
【００２６】
基地局ＢＴＳ２では、対応キャリア周波数（上り）は、４つ（ｆc1，ｆc2，ｆc3，ｆc4）であり、対応キャリア周波数（下り）も、同様に４つ（Ｆc1，Ｆc2，Ｆc3，Ｆc4）である。セクタ構成は、６０°毎に分割された６個のセクタで構成されるとしている。
【００２７】
基地局ＢＴＳ３では、対応キャリア周波数（上り）は、２つ（ｆc1，ｆc2）であり、対応キャリア周波数（下り）も、同様に２つ（Ｆc1，Ｆc2）である。セクタ構成は、６０°毎に分割された６個のセクタで構成されるとしている。
【００２８】
そして、対応物理チャネルは、３つの基地局ＢＴＳ１，ＢＴＳ２，ＢＴＳ３において共通に、基地局が使用する下りの報知チャネル、パイロットチャネル、およびページングチャネルと、基地局と試験端末の双方が使用する上り下りの個別チャネルと、試験端末が使用する上りのランダムアクセスチャネルとで構成されるとしている。
【００２９】
また、図６は、図１に示す試験端末が装備するキャリア周波数の一例を示す図である。試験端末１４も基地局ＢＴＳと同様に、最大４つのキャリア周波数を装備することができるが、図６に示すように、例えば２つのキャリア周波数ｆc1，ｆc2に対応する構成とすることができる。
【００３０】
以下、図１〜図１４を参照して以上のように構成されるフィールド試験装置の動作について説明する。なお、図７は、仮想フィールドの構成例および試験端末の移動経路を説明する図である。図８は、図７に示す試験端末の移動経路部分を拡大して示す図である。図９と図１０は、図８に示す初期位置ＬＯＣ１での試験動作を説明するフローチャートである。図１１と図１２は、図８に示す移動後の位置ＬＯＣ２での試験動作を説明するフローチャートである。図１３と図１４は、図８に示す移動後の位置ＬＯＣ３での試験動作を説明するフローチャートである。
【００３１】
図７に示すように、仮想フィールド４０は、互いに重複領域を持つ多数の基地局カバーエリアによって構成される。そのうち、試験端末１４は、実線で示す基地局カバーエリア４１，４２，４３において、それぞれの基地局（以降「ＢＴＳ１，ＢＴＳ２，ＢＴＳ３」と記す）と通信を行うとし、破線で示す基地局カバーエリアでは通信を行わないとしている。すなわち、試験端末１４は、ＢＴＳ１カバーエリア４１における初期位置４５を起点とする移動経路４６に沿って、ＢＴＳ２カバーエリア４２、ＢＴＳ３カバーエリア４３と移動するとしている。
【００３２】
図８において、ＢＴＳ１カバーエリア４１は、図５に示したように４個のセクタで構成されるが、そのうちの２つのセクタ８１，８２が示されている。ＢＴＳ２カバーエリア４２は、図５に示したように６個のセクタで構成されるが、そのうちの２つのセクタ８３，８４が示されている。また、ＢＴＳ３カバーエリア４３は、図５に示したように６個のセクタで構成されるが、そのうちの２つのセクタ８５，８６が示されている。
【００３３】
システム制御部１０は、セクタ８１内に示す位置ＬＯＣ１と、ＢＴＳ１カバーエリア４１のセクタ８１、８２とＢＴＳ２カバーエリア４２のセクタ８３とが重複する領域におけるセクタ８１とセクタ８２との境界付近に示す位置ＬＯＣ２と、ＢＴＳ２カバーエリア４２内においてセクタ８３とセクタ８４との境界付近に示す位置ＬＯＣ３と、ＢＴＳ２カバーエリア４２のセクタ８４とＢＴＳ３カバーエリア４３のセクタ８５とが重複する領域におけるセクタ８５内に入り込んだ位置ＬＯＣ４とにおいて、試験端末１４を用いた基地局（ＢＴＳ１，ＢＴＳ２，ＢＴＳ３）の試験を以下に説明する手順で実施する。
【００３４】
（Ａ）位置ＬＯＣ１において試験端末１４が通信を開始する場合の動作について図９と図１０に沿って説明する。ステップＳＴ１では、システム制御部１０は、まず仮想フィールド４０において試験開始位置ＬＯＣ１を設定し、試験端末１４を制御して待機状態にする。次いで、電波伝搬路環境生成部１３に対し、試験端末１４の位置ＬＯＣ１と基地局配置情報とに基づき試験端末１４周辺の電波伝搬路環境を模擬するためのパラメータを設定する。このパラメータは、フィールドにおける遅延プロファイル、受信レベルを実測したデータ、あるいはレイトレーシングなどによって計算機上で計算されたデータから求められた無線信号の振幅情報および位相情報である。これらの情報は、ビル、トンネル、自然地形などフィールドにおいて電波伝播に影響を与える様々な情報を元に求めた値であり、試験端末１４の静止点における時間変動や、任意の移動経路を任意の速度で移動する場合の変動にも対応するものである。
【００３５】
そして、システム制御部１０は、これら電波伝搬情報と基地局配置情報とに基づき試験端末１４を取り囲む基地局の中で電波が物理的に試験端末１４に到達し得る基地局を決定し、その決定した基地局を運用するために必要なパラメータを基地局制御部１１に設定する。図７に示す例では、試験端末１４の試験開始位置ＬＯＣ１は、ＢＴＳ１カバーエリア４１にのみ含まれるので、システム制御部１０は、基地局制御部１１に対してＢＴＳ１の運用パラメータを設定することになる。この運用パラメータには，例えば図５にて説明したように、ＢＴＳ１が対応する物理チャネル、キャリア周波数、セクタ構成などが含まれている。システム制御部１０は、ＢＴＳ１の運用パラメータを設定すると、基地局制御部１１に対し、ＢＴＳ１のセクタ８１において、報知チャネル、ページングチャネル、およびパイロットチャネルの送信と、ランダムアクセスチャネルの受信とを指示する。
【００３６】
ステップＳＴ２では、基地局制御部１１は、システム制御部１０からＢＴＳ１の運用パラメータと送受信指示とを受けて、複数基地局模擬部１２にて使用する送受信リソースを決定し、ベースバンド信号送信部１２ａに下り共通チャネル（報知チャネル、パイロットチャネル）の送信を指示し、ＢＴＳ１のセクタ８１における試験端末１４との共通チャネルによる送受信を模擬する。
【００３７】
ここでは、基地局制御部１１が決定する複数基地局模擬部１２にて使用する送受信リソースは、次のようになっている。すなわち、図５に示したように、ＢＴＳ１での下り送信では、４つのキャリア周波数（ｆc1，ｆc2，ｆc3，ｆc4）に対応するので、ベースバンド信号送信部１２ａにおける報知チャネル送信リソース２１−１〜２１−４を使用し、パイロットチャネル送信リソース２２−１〜２２−４を使用し、ページングチャネル送信リソース２３−１〜２３−４を使用すると決定する。また、ＢＴＳ１での上り受信では、４つのキャリア周波数（Ｆc1，Ｆc2，Ｆc3，Ｆc4）に対応するので、ベースバンド信号受信部１２ｂにおけるランダムアクセスチャネル受信リソース３１−１〜３１−４を使用すると決定する。
【００３８】
なお、以上はＢＴＳ１側の立場から、対応する４つのキャリア周波数でセクタ８１における共通チャネルの送受信を模擬する場合の決定であるが、例えば図６に示したように、試験端末１４が２つのキャリア周波数にのみ対応する場合は、試験端末１４が対応するキャリア周波数に合わせた決定をすることになる。
【００３９】
ステップＳＴ３では、ベースバンド信号送信部１２ａにおいて下り共通チャネルの送信が開始されると、各チャネルのベースバンド信号が電波伝搬路環境生成部１３に入力される。電波伝搬路環境生成部１３では、各ベースバンド信号に対して送信フィルタリング、キャリア周波数へのアップコンバージョンを行った後に、仮想フィールドにおけるマルチパス干渉、雑音、フェージングなどによる振幅、位相の変更、雑音成分の負荷等を行って試験端末１４に送信する。
【００４０】
ステップＳＴ４では、試験端末１４は、報知チャネルにて送信される報知情報の内容とパイロットチャネルの品質などから位置登録を行うための基地局、セクタ、キャリア周波数を決定し、決定した基地局のセクタに対してランダムアクセスチャネルを送信して位置登録を行う。今の例では、試験端末１４の位置ＬＯＣ１は、ＢＴＳ１カバーエリア４１のセクタ８１に存するので、試験端末１４は、ＢＴＳ１のセクタ８１に対して位置登録情報が送信することになる。なお、試験端末１４は、下りのキャリア周波数をｆc2と決定し、上りのキャリア周波数をＦc2と決定するとする。
【００４１】
ステップＳＴ５では、電波伝搬路環境生成部１３が、試験端末１４から受信した位置登録情報を含むランダムアクセスチャネルに、仮想フィールド４０におけるマルチパス干渉、雑音、フェージングなどによる振幅、位相の変更、雑音成分の負荷を行い、受信フィルタリング、ダウンコンバージョンを行ってベースバンド信号受信部１２ｂに引き渡す。
【００４２】
ステップＳＴ６では、ベースバンド信号受信部１２ｂは、ランダムアクセスチャネル受信処理リソース３１−１〜３１−４を用いて受信ベースバンド信号の復調・復号を行う。今の例では、ランダムアクセスチャネルは、キャリア周波数Ｆc2によって試験端末１４から送信されたので、例えばランダムアクセスチャネル受信処理リソース３１−２において位置登録情報が正しく復号され、基地局制御部１１を介してシステム制御部１０に伝達される。これによってシステム制御部１０に試験端末１４の位置が登録され、試験端末１４における発着呼が可能となる。
【００４３】
この実施の形態による仮想フィールド試験装置では、通常の無線セルラシステムと同様に基地局側(複数基地局模擬部１２)からの発信と、移動機側（試験端末１４）からの発信とのいずれも可能である。ここでは、基地局側(複数基地局模擬部１２)から発信する場合について説明する。
【００４４】
すなわち、システム制御部１０は、受け取った試験端末１４の位置登録情報に基づいて基地局制御部１１に対し試験端末１４との接続を要求する（ステップＳＴ７）。それを受けて基地局制御部１１は、その接続要求の向けられた基地局、セクタ、キャリア周波数を決定してベースバンド信号送信部１２ａに接続要求処理を指示する（ステップＳＴ８）。これによって、ベースバンド送信部１２ａ内のページングチャネル送信処理リソースを用いてページング情報が電波伝搬路環境生成部１３に出力されるので、電波伝搬路環境生成部１３では、受け取ったページングチャネルに上記した電波伝搬路環境を負荷して試験端末１４に送信する（ステップＳＴ９）。
【００４５】
試験端末１４では、受信したページングチャネルに含まれるページング情報から接続要求を認識し、許可する場合は、ランダムアクセスチャネルを送信して接続許可を通知する（ステップＳＴ１０）。電波伝搬路環境生成部１３では、受信したランダムアクセスチャネルに上記した電波伝搬路環境を負荷してベースバンド信号受信部１２ｂに引き渡す（ステップＳＴ１１）。ベースバンド信号受信部１２ｂでは、ランダムアクセスチャネル受信リソースを用いて接続許可が復号され、基地局制御部１１を介してシステム制御部１０に伝達される（ステップＳＴ１２）。
【００４６】
システム制御部１０では、接続許可を確認し、基地局制御部１１に対して、試験端末１４との送受信を要求する（ステップＳＴ１３）。基地局制御部１１では、送受信要求を受けて、複数基地局模擬部１２にて使用する送受信リソース（個別チャネル）を決定し、複数基地局模擬部１２と試験端末１４との間に個別チャネルを確立して送受信を模擬する（ステップＳＴ１４）。
【００４７】
ここでは、次のような個別チャネルによる送受信の模擬が行われる。すなわち、ベースバンド信号送信部１２ａの個別チャネル送信リソース２４−１を使用し、セクタ８１から接続を許可された下りキャリア周波数、例えばｆc2での個別チャネル送信を模擬する。また、ベースバンド信号送信部１２ｂの個別チャネル受信リソース３２−１を使用し、セクタ８１にて下り個別チャネルのキャリア周波数ｆc2に対応する上りキャリア周波数、例えばＦc2での個別チャネル受信を模擬する。
【００４８】
以上によってベースバンド信号送信部１２ａから試験端末１４への下り個別チャネル送信と、試験端末１４からベースバンド信号受信部１２ｂへの上り個別チャネル受信とが開始され、複数基地局模擬部１２が生成する基地局と試験端末１４との間の通信（通話またはデータ送受信）が実現される。
【００４９】
以上のように、システム制御部１０は、試験端端末１４と通話を開始する前に、試験端末１４が通話を行うセクタとキャリア周波数、通話チャネルなどを決定するのに使用する共通チャネルの送受信制御では、試験端末１４をカバーする基地局のセクタとキャリア周波数との組み合わせでのみ模擬し、試験端末１４の移動に伴って模擬する基地局、セクタ、キャリア周波数を切り替えるように基地局制御部１１を制御するようになっている。
【００５０】
（Ｂ）次に、試験端末１４が位置ＬＯＣ２に移動してきた場合の動作について図１１と図１２に沿って説明する。ステップＳＴ２０では、システム制御部１０は、まず電波伝搬路環境生成部１３に対し、試験端末１４の位置ＬＯＣ２と基地局配置情報とに基づき試験端末１４周辺の電波伝搬路環境を模擬するためのパラメータを設定する。次に、電波伝搬情報と基地局配置情報とに基づき試験端末１４を取り囲む基地局の中で電波が物理的に試験端末１４に到達し得る基地局を決定し、その決定した基地局を運用するために必要なパラメータを基地局制御部１１に設定する。
【００５１】
今の例では、試験端末１４は、通信を行いながら位置ＬＯＣ２に到達するとき、図８に示すように、ＢＴＳ１カバーエリア４１とＢＴＳ２カバーエリア４２との重複領域においてＢＴＳ１と通信を行っている。このとき、試験端末１４は、ＢＴＳ１カバーエリア４１内のセクタ８１，８２およびＢＴＳ２カバーエリア４２内のセクタ８３にカバーされているので、システム制御部１０は、試験端末１４を取り囲むＢＴＳ１とＢＴＳ２の運用パラメータを基地局制御部１１に設定する。但し、ＢＴＳ１の運用パラメータは、位置ＬＯＣ１にて設定済みであるので、ここでは、ＢＴＳ２の運用パラメータのみを設定する。ＢＴＳ２の運用パラメータは、図５に示すようになっている。そして、システム制御部１０は、ＢＴＳ２の運用パラメータを設定すると、基地局制御部１１に対し、ＢＴＳ１のセクタ８２およびＢＴＳ２のセクタ８３において、報知チャネル、ページングチャネル、およびパイロットチャネルの送信と、ランダムアクセスチャネルの受信とを指示する。
【００５２】
ステップＳＴ２１では、基地局制御部１１は、システム制御部１０からＢＴＳ２の運用パラメータと送受信指示とを受けて、複数基地局模擬部１２にて使用する送受信リソースを決定し、ベースバンド信号送信部１２ａに下り共通チャネル（報知チャネル、パイロットチャネル）の送信を指示し、ＢＴＳ１のセクタ８２およびＢＴＳ２のセクタ８３における試験端末１４との共通チャネルによる送受信を模擬する。
【００５３】
このとき、位置ＬＯＣ１にて開設した共通チャネルと個別チャネルは開放せず継続して送受信を模擬する。すなわち、報知チャネル送信リソース２１−１〜２１−４と、パイロットチャネル送信リソース２２−１〜２２−４と、ページングチャネル送信リソース２３−１〜２３−４と、個別チャネル送信リソース２４−１〜２４−４と、ランダムアクセスチャネル受信リソース３１−１〜３１−４と、個別チャネル受信リソース３２−１〜３２−４とは開放せず、ＢＴＳ１のセクタ８１における共通チャネルおよび個別チャネルの送受信は継続して模擬するようになっている。
【００５４】
したがって、基地局制御部１１が決定する複数基地局模擬部１２にて使用する送受信リソースは、次のようになる。なお、ＢＴＳ２でのキャリア周波数は、図５に示すように、ＢＴＳ１と同じ４つである。セクタ８２では、報知チャネル送信リソース２１−５〜２１−８を使用し、パイロットチャネル送信リソース２２−５〜２２−８を使用し、ページングチャネル送信リソース２３−５〜２３−８を使用し、ランダムアクセスチャネル受信リソース３１−５〜３１−８を使用すると決定する。また、セクタ８３では、報知チャネル送信リソース２１−９〜２１−１２を使用し、パイロットチャネル送信リソース２２−９〜２２−１２を使用し、ページングチャネル送信リソース２３−９〜２３−１２を使用し、ランダムアクセスチャネル受信リソース３１−９〜３１−１２を使用すると決定する。
【００５５】
なお、以上はＢＴＳ１およびＢＴＳ２側の立場から、対応する４つのキャリア周波数でセクタ８２，８３における共通チャネルの送受信を模擬する場合の決定であるが、例えば図６に示したように、試験端末１４が２つのキャリア周波数にのみ対応する場合は、試験端末１４が対応するキャリア周波数に合わせた決定をすることになる。
【００５６】
ステップＳＴ２２では、試験端末１４は、各セクタ、キャリア周波数において受信したパイロットチャネルの受信品質を測定し、セクタ８１においてキャリア周波数ｆc2で通信を行っている個別チャネルを使用して受信品質測定情報をシステム制御部１０に定期的に報告する。
【００５７】
ステップＳＴ２３では、電波伝搬路環境生成部１３は、ベースバンド信号送信部１２ａから受け取った下り共通チャネルに電波伝搬路環境を負荷して試験端末１４に送信する。試験端末１４から受信したランダムアクセスチャネルに電波伝搬路環境を負荷してベースバンド信号受信部１２ｂに引き渡す。また、試験端末１４から定期的に受信する個別チャネルに電波伝搬路環境を負荷してベースバンド信号受信信部１２ｂに引き渡す。
【００５８】
ステップＳＴ２４では、ベースバンド信号受信部１２ｂは、個別チャネル受信処理リソースを用いて受信ベースバンド信号の復調・復号を行う。復号された受信品質測定情報は基地局制御部１１を介してシステム制御部１０に伝達される。
【００５９】
ステップＳＴ２５では、システム制御部１０は、セクタ８１，８２，８３の各セクタでの４つのキャリア周波数におけるパイロットチャネルの受信品質から試験端末１４がハンドオーバーを行うセクタ、キャリア周波数を決定する。そして、基地局制御部１１に対して試験端末１４と通信を行う新たなセクタを通知する。
【００６０】
今の例では、試験端末１４が位置ＬＯＣ２において測定したキャリア周波数ｆc2でのセクタ８１，８２，８３のパイロットチャネルの受信品質があるしきい値を上回った場合に、試験端末１４がハンドオーバーを行うセクタ８２およびセクタ８３と、キャリア周波数ｆc2とを決定し、キャリア周波数ｆc2にてセクタ８２およびセクタ８３でも試験端末１４と通信を行うように基地局制御部１１に指示する。
【００６１】
ステップＳＴ２６では、基地局制御部１１は、複数基地局模擬部１２にて使用する追加したセクタ用の送受信リソース（個別チャネル）を決定し、複数基地局模擬部１２と試験端末１４との間に個別チャネルを確立し、個別チャネルの送受信を模擬する。例えば、ベースバンド信号送信部１２ａ内の個別チャネル送信リソース２４−２，２４−３を使用し、キャリア周波数ｆc2でセクタ８２およびセクタ８３における個別チャネル送信を模擬する。また、ベースバンド信号受信部１２ｂ内の個別チャネル受信リソース３２−２，３２−３を使用し、キャリア周波数Ｆc2でセクタ８２およびセクタ８３における個別チャネル受信を模擬する。なお、個別チャネル送信リソース２４−１および個別チャネル受信リソース３２−１は開放せず、セクタ８１における個別チャネルの送受信は継続して模擬するようにしている。
【００６２】
ステップＳＴ２７では、システム制御部１０は、試験端末１４に対して、開放せずに使用している個別チャネルを用いて追加したセクタとも通信を行うように指示する。すなわち、システム制御部１０は、現在通信に使用しているキャリア周波数ｆc2のセクタ８１における個別チャネルを使用し、試験端末１４に対してセクタ８１に加えてセクタ８２，８３でも通信を行うように指示する。なお、通信を行うセクタを、以降、「アクティブセット」と呼ぶこととする。
【００６３】
ステップＳＴ２８では、試験端末１４は、位置ＬＯＣ１でのセクタと位置ＬＯＣ２にて追加指示されたセクタとにおいて個別チャネルによる送受信を開始し、その送受信開始直後に、接続を確立した個別チャネルを用いてシステム制御部１０に対して指示されたセクタの追加完了を通知する。すなわち、試験端末１４は、指示を受けた後、セクタ８１，８２，８３においてキャリア周波数ｆc2（受信）、Ｆc2（送信）で個別チャネルの送受信を開始する。その送受信開始直後に、試験端末１４は、接続を確立した個別チャネルを用いてアクティブセットへのセクタ８２，８３の追加をシステム制御部１０に通知し、試験端末１４におけるハンドオーバー処理が完了する。
【００６４】
以上のように、試験端末１４が位置ＬＯＣ２において測定したキャリア周波数ｆc2でのセクタ８１，８２，８３のパイロットチャネルの受信品質があるしきい値を上回った場合に、試験端末１４が通信を行っているセクタ８１に加えて、セクタ８２とセクタ８３とを通信を行うセクタとして追加し、キャリア周波数ｆc2（下り）、Ｆc2（上り）においてセクタ８１，８２，８３にて同時に個別チャネルの送受信が行われ、ハンドオーバー状態での通信が実現される。
【００６５】
（Ｃ）次に、試験端末１４が位置ＬＯＣ３に移動してきた場合の動作について図１３と図１４に沿って説明する。ステップＳＴ３０では、システム制御部１０は、試験端末１４がＢＴＳ１およびＢＴＳ２と通信を行いながら位置ＬＯＣ３に到達するとき、電波伝搬路環境生成部１３に対し、位置ＬＯＣ３と基地局配置情報とに基づき端末周辺の電波伝搬路を模擬するためのパラメータを設定する。しかし、位置ＬＯＣ３は、ＢＴＳ２カバーエリア４２内のセクタ８３とセクタ８４との境界付近にあり、ＢＴＳ２の基地局運用パラメータは、位置ＬＯＣ２にて設定済みであるので、ここでは基地局制御部１１に対する基地局運用パラメータの設定は行わない。システム制御部１０は、基地局制御部１１に対しては、位置ＬＯＣ３での新たなセクタ８４から、報知チャネル、ページングチャネル、パイロットチャネルの送信と、ランダムアクセスチャネルの受信とを指示する。
【００６６】
ステップＳＴ３１では、基地局制御部１１は、システム制御部１０から送受信指示を受けて、複数基地局模擬部１２にて使用する送受信リソースを決定し、ベースバンド信号送信部１２ａに下り共通チャネル（報知チャネル、パイロットチャネル）の送信を指示し、ＢＴＳ２のセクタ８４における試験端末１４との共通チャネルによる送受信を模擬する。
【００６７】
このとき、位置ＬＯＣ１と位置ＬＯＣ２とで開設した共通チャネルと個別チャネルは開放せず継続して送受信を模擬する。すなわち、報知チャネル送信リソース２１−１〜２１−１２と、パイロットチャネル送信リソース２２−１〜２２−１２と、ページングチャネル送信リソース２３−１〜２３−１２と、個別チャネル送信リソース２４−１〜２４−１２と、ランダムアクセスチャネル受信リソース３１−１〜３１−１２と、個別チャネル受信リソース３２−１〜３２−１２とは開放せず、ＢＴＳ１のセクタ８１，８２およびＢＴＳ２のセクタ８３における共通チャネルおよび個別チャネルの送受信は継続して模擬するようになっている。
【００６８】
したがって、基地局制御部１１が決定する複数基地局模擬部１２にて使用する送受信リソースは、次のようになる。なお、ＢＴＳ２でのキャリア周波数は、図５に示すように、ＢＴＳ１と同じ４つである。セクタ８４では、報知チャネル送信リソース２１−１３〜２１−１９を使用し、パイロットチャネル送信リソース２２−１３〜２２−１９を使用し、ページングチャネル送信リソース２３−１３〜２３−１８を使用し、ランダムアクセスチャネル受信リソース３１−１３〜３１−１９を使用すると決定する。
【００６９】
なお、以上はＢＴＳ３側の立場から、対応する４つのキャリア周波数でセクタ８４における共通チャネルの送受信を模擬する場合の決定であるが、例えば図６に示したように、試験端末１４が２つのキャリア周波数にのみ対応する場合は、試験端末１４が対応するキャリア周波数に合わせた決定をすることになる。
【００７０】
ステップＳＴ３２では、試験端末１４は、セクタ８１，８２，８３，８４の各セクタでの４つのキャリア周波数において受信したパイロットチャネルの受信品質を測定し、セクタ８１においてキャリア周波数ｆc2で通信を行っている個別チャネルを使用して受信品質測定情報をシステム制御部１０に定期的に報告する。
【００７１】
ステップＳＴ３３では、電波伝搬路環境生成部１３は、ベースバンド信号送信部１２ａから受け取った下り共通チャネルに電波伝搬路環境を負荷して試験端末１４に送信する。試験端末１４から受信したランダムアクセスチャネルに電波伝搬路環境を負荷してベースバンド信号受信部１２ｂに引き渡す。また、試験端末１４から定期的に受信する個別チャネルに電波伝搬路環境を負荷してベースバンド信号受信部１２ｂに引き渡す。
【００７２】
ステップＳＴ３４では、ベースバンド信号受信部１２ｂは、個別チャネル受信処理リソースを用いて受信ベースバンド信号の復調・復号を行う。復号された受信品質測定情報は基地局制御部１１を介してシステム制御部１０に伝達される。
【００７３】
ステップＳＴ３５では、システム制御部１０は、セクタ８１，８２，８３，８４の各セクタでの４つのキャリア周波数におけるパイロットチャネルの受信品質から試験端末１４がハンドオーバーを行うセクタとキャリア周波数を決定する。そして、基地局制御部１１に対して試験端末１４と通信を行う新たなセクタを通知する。
【００７４】
今の例では、試験端末１４が位置ＬＯＣ３において測定したキャリア周波数ｆc2でのセクタ８１，８２，８３，８４のパイロットチャネルの受信品質があるしきい値を上回った場合に、試験端末１４がハンドオーバーを行うセクタ８４と、キャリア周波数ｆc2とを決定し、キャリア周波数ｆc2にてセクタ８４でも試験端末１４と通信を行うように基地局制御部１１に指示する。
【００７５】
ステップＳＴ３６では、基地局制御部１１は、複数基地局模擬部１２にて使用する追加したセクタ用の送受信リソース（個別チャネル）を決定し、複数基地局模擬部１２と試験端末１４との間に個別チャネルを確立し、個別チャネルの送受信を模擬する。例えば、ベースバンド信号送信部１２ａ内の個別チャネル送信リソース２４−４を使用し、キャリア周波数ｆc2でセクタ８４における個別チャネル送信を模擬する。また、ベースバンド信号受信部１２ｂ内の個別チャネル受信リソース３２−４を使用し、キャリア周波数Ｆc2でセクタ８４における個別チャネル受信を模擬する。なお、個別チャネル送信リソース２４−１〜２４−３および個別チャネル受信リソース３２−１〜３４−３は開放せず、セクタ８１，８２，８３における個別チャネルの送受信は継続して模擬するようにしている。
【００７６】
ステップＳＴ３７では、システム制御部１０は、試験端末１４に対して、位置ＬＯＣ１でのセクタと位置ＬＯＣ２でのセクタとにおいて開放せずに使用している個別チャネルを用いて、位置ＬＯＣ１でのセクタと位置ＬＯＣ２でのセクタとを削除し、位置ＬＯＣ３でのセクタとも通信するように指示する。すなわち、システム制御部１０は、現在通信に使用しているキャリア周波数ｆc2のセクタ８１，８２，８３における個別チャネルを使用し、試験端末１４に対してセクタ８１，８２のアクティブセットからの除外と、セクタ８４のアクティブセットへの追加とを指示する。
【００７７】
ステップＳＴ３８では、試験端末１４は、追加・削除の指示を受けて、位置ＬＯＣ１でのセクタ８１および位置ＬＯＣ２でのセクタ８２における個別チャネルの送受信を停止するとともに、位置ＬＯＣ３でのセクタ８４における個別チャネルの送受信を開始する。その送受信開始直後に、試験端末１４は、接続を確立した個別チャネルを用いてセクタ８１，８２のアクティブセットからの削除と、セクタ８４のアクティブセットへの追加とをシステム制御部１０に通知し、試験端末１４におけるハンドオーバー処理が完了する。
【００７８】
ステップＳＴ３９では、システム制御部１０は、試験端末１４からセクタ８１，８２のアクティブセットからの削除通知を受け取ると、基地局制御部１１に対し、位置ＬＯＣ１と位置ＬＯＣ２にて開設した個別チャネルの送受信を停止させる指示を出す。すなわち、セクタ８１，８２における個別チャネルの送受信を停止するように指示する。
【００７９】
ステップＳＴ４０では、基地局制御部１１は、ベースバンド信号送信部１２ａでの該当する個別チャネル送信リソースを開放し、位置ＬＯＣ１と位置ＬＯＣ２とで開設した個別チャネル送信の模擬を停止する。また、ベースバンド信号受信部１２ｂでの該当する個別チャネル受信リソースを開放し、位置ＬＯＣ１と位置ＬＯＣ２とで開設した個別チャネル受信の模擬を停止する。すなわち、ベースバンド信号送信部１２ａの個別チャネル送信リソース２４−１〜２４−２を開放し、キャリア周波数ｆc2でセクタ８１，８２における個別チャネル送信の模擬を停止する。また、ベースバンド受信部１２ｂの個別チャネル受信リソース３２−１〜３２−２を開放し、キャリア周波数Ｆc2でセクタ８１，８２における個別チャネル受信の模擬を停止する。
【００８０】
以上のように、位置ＬＯＣ３では、セクタ８１およびセクタ８２のカバーエリアを外れており、新たにセクタ８４のカバーエリアに入っているので、試験端末１４について、セクタ８１，８２をアクティブセットから除外し、セクタ８４をアクティブセットに追加する動作が行われる。
【００８１】
ところで、共通チャネルおよび個別チャネルの送受信リソースが割り当てられているセクタでも、試験端末１４と通信し得ないセクタについては、ハンドオーバー処理を適切に行うことにより個別チャネルの送受信を停止するはずであるが、ハンドオーバー処理が正しく行われなかった場合に備えて、共通チャネルと併せて個別チャネルの送受信停止処理を行う必要がある。
【００８２】
すなわち、ステップＳＴ４１では、システム制御部１０は、試験端末１４の現在位置に物理的に電波が到達し得ないセクタを判定し、基地局制御部１１に対し、該当するセクタにおける共通チャネルおよび個別チャネルの送受信模擬を停止するように指示する。図８に示すように、位置ＬＯＣ３では、試験端末１４は、セクタ８１およびセクタ８２のカバーエリアを外れているので、セクタ８１，８２における共通チャネルおよび個別チャネルの何れも試験端末１４に到達できない。したがって、システム制御部１０は、基地局制御部１１に対し、セクタ８１およびセクタ８２における共通チャネルおよび個別チャネルの送受信の模擬を停止するように指示することになる。
【００８３】
ステップＳＴ４２では、基地局制御部１１は、システム制御部１０から模擬停止指示を受けて、ベースバンド信号送信部１２ａおよびベースバンド信号受信部１２ｂの該当するリソースを開放し、指示されたセクタにおける共通チャネルおよび個別チャネルの送受信模擬を停止する。
【００８４】
今の例では、ベースバンド信号送信部１２ａの報知チャネル送信リソース２１−１〜２１−８と、パイロットチャネル送信リソース２２−１〜２２−８と、ページングチャネル送信リソース２３−１〜２３−８とをそれぞれ開放し、セクタ８１，８２における４つのキャリア周波数での送信模擬を停止する。また、ベースバンド信号受信部１２ｂのランダムアクセスチャネル受信リソース３１−１〜３１−８を開放し、セクタ８１，８２における４つのキャリア周波数での受信模擬を停止する。
【００８５】
但し、今の例では、停止指示のセクタ８１，８２については、上記のようにハンドオーバー処理が正しく行われ、ベースバンド信号送信部１２ａの個別チャネル送信リソース２４−１〜２４−２は既に開放され、またベースバンド信号受信部１２ｂの個別チャネル送信リソース３２−１〜３２−２は既に開放されているので、このステップＳＴ４２では、個別チャネルリソースについては、何もしないことになる。
【００８６】
以上によってセクタ８１およびセクタ８２における共通チャネルおよび個別チャネルの送受信が停止され、セクタ８３およびセクタ８４において共通チャネルの送受信が行われるとともに、セクタ８３およびセクタ８４では、キャリア周波数ｆc2(下り)、Ｆc2(上り)で個別チャネルの送受信が同時に行われハンドオーバー状態での通信が実現される。
【００８７】
（Ｄ）次に、試験端末１４が位置ＬＯＣ４に移動してきた場合の動作について図８を参照して説明する。位置ＬＯＣ４では、システム制御部１０は、セクタ８３をアクティブセットから削除し、セクタ８５をアクティブセットに追加することで、セクタ８５のみがアクティブセットに含まれている状態にする。これは、位置ＬＯＣ３にて行った、セクタ８１およびセクタ８２をアクティブセットから削除し、セクタ８４をアクティブセットに追加する処理と同様である。したがって、試験端末１４は、セクタ８４とセクタ８５と通信を行っている。
【００８８】
また、ＬＯＣ４においては、セクタ８３は試験端末１４をカバーしていないので、システム制御部１０は、位置ＬＯＣ３においてセクタ８１およびセクタ８２の共通チャネルおよび個別チャネルの送受信リソースを開放し、セクタ８１およびセクタ８２における共通チャネルおよび個別チャネルの送受信の模擬を停止したのと同様の処理を行ってセクタ８３における共通チャネルおよび個別チャネルの送受信の模擬を停止する。
【００８９】
また、システム制御部１０は、位置ＬＯＣ４において新たに試験端末１４をカバーすることになったＢＴＳ３の運用パラメータも同様に基地局制御部１１に設定する。ＢＴＳ３の運用パラメータは、図５に示されている。なお、ＢＴＳ２の運用パラメータは、位置ＬＯＣ２において設定済みであり、図５に示されている。結局、基地局制御部１１は、複数基地局模擬部１２内のベースバンド信号送受信リソースを以下のように使用して位置ＬＯＣ４における試験端末１４との通信を模擬している。
【００９０】
すなわち、（１ａ）ベースバンド信号送信部１２ａ内の報知チャネル送信リソース２１−１３〜２１−１６を使用し、セクタ８４における４つのキャリア周波数での報知チャネル送信を模擬する。（１ｂ）また、報知チャネル送信リソース２１−１〜２１−２を使用し、セクタ８５における２つのキャリア周波数での報知チャネル送信を模擬する。（２ａ）ベースバンド信号送信部１２ａ内のパイロットチャネル送信リソース２２−１３〜２２−１６を使用し、セクタ８４における４つのキャリア周波数でのパイロットチャネル送信を模擬する。（２ｂ）また、パイロットチャネル送信リソース２２−１〜２２−２を使用し、セクタ８５における２つキャリア周波数でのパイロットチャネル送信を模擬する。
【００９１】
（３ａ）ベースバンド信号送信部１２ａ内のページングチャネル送信リソース２３−１３〜２３−１６を使用し、セクタ８４における４つのキャリア周波数でのページングチャネル送信を模擬する。（３ｂ）また、ページングチャネル送信リソース２３−１〜２３−２を使用し、セクタ８５における２つのキャリア周波数でのページングチャネル送信を模擬する。（４ａ）ベースバンド信号受信部１２ｂ内のランダムアクセスチャネル受信リソース３１−１３〜３１−１６を使用し、セクタ８４における４つのキャリア周波数でのランダムアクセスチャネル受信を模擬する。（４ｂ）また、ランダムアクセスチャネル受信リソース３１−１〜３１−２1を使用し、セクタ８５における２つのキャリア周波数でのランダムアクセスチャネル受信を模擬する。（５ａ）ベースバンド信号送信部１２ａ内の個別チャネル送信リソース２４−１を使用し、セクタ８５におけるキャリア周波数ｆc2での個別チャネル送信を模擬する。（５ｂ）また、ベースバンド信号受信部１２ｂ内の個別チャネル受信リソース３２−１を使用し、セクタ８５におけるキャリア周波数Ｆc2での個別チャネル受信を模擬する。
【００９２】
なお、セクタ８４の模擬では、ＢＴＳ２が４つのキャリア周波数に対応することから、４つのキャリア周波数でセクタ８４における共通チャネルの送受信を模擬するとしたが、例えば図６に示したように、試験端末１４が２つのキャリア周波数にのみ対応する場合には、試験端末１４が対応するキャリア周波数でのみセクタ８４における共通チャネルの送受信を模擬する構成としてもよい。この場合には、セクタ８５と同じになる。
【００９３】
この状態で試験端末１４は、２つのキャリア周波数においてセクタ８４，８５のパイロットチャネルの受信品質を測定し、セクタ８５における個別チャネルを用いてシステム制御部１０に報告する。図５に示すように、ＢＴＳ２は４つのキャリア周波数に対応しているのに対し、ＢＴＳ３は２つのキャリア周波数にしか対応しないので、ここでは、ロードバランシングのために、位置ＬＯＣ４において試験端末１４をキャリア周波数ｆc2(下り)、Ｆc2(上り)からｆc1（下り)、Ｆc1(上り)に周波数間ハンドオーバーを行う場合の動作について説明する。
【００９４】
まず、システム制御部１０は、基地局制御部１１に対し、セクタ８５においてキャリア周波数ｆc1(送信)、Ｆc1(受信)にて個別チャネルの送受信を行うように指示する。基地局制御部１１は、複数基地局模擬部１２内のベースバンド信号送受信リソースを以下のように使用し、セクタ８５における別キャリア周波数での個別チャネルの送受信を模擬する。すなわち、ベースバンド信号送信部１２ａ内の個別チャネル送信リソース２４−２を使用し、セクタ８５におけるキャリア周波数ｆc1での個別チャネル送信を模擬する。また、ベースバンド信号受信部１２ｂ内の個別チャネル受信リソース３２−２を使用し、セクタ８５におけるキャリア周波数Ｆc1での個別チャネル受信を模擬する。
【００９５】
次に、システム制御部１０は、試験端末１４でのセクタ８５の個別チャネル送受信に関し、キャリア周波数ｆc1(受信)、Ｆc1(送信)で送受信を停止し、キャリア周波数ｆc2(受信)、Ｆc2(送信)で送受信を開始するように、キャリア周波数ｆc2にてセクタ８５における個別チャネルを使用して試験端末１４に対して指示する。試験端末１４は、キャリア周波数の変更を完了すると、システム制御部１０に対し、セクタ８５の個別チャネルを用いてキャリア周波数Ｆc1にてキャリア周波数の変更完了を通知する。
【００９６】
次に、システム制御部１０は、基地局制御部１１に対し、セクタ８５におけるキャリア周波数ｆc2(送信)、Ｆc2(受信)での個別チャネル送受信停止を指示する。基地局制御部１１は、複数基地局模擬部１２内のベースバンド信号送受信リソースを以下のように開放し、セクタ８５におけるキャリア周波数ｆc2(送信)、Ｆc2(受信)での個別チャネル送受信を停止する。すなわち、ベースバンド信号送信部１２ａ内の個別チャネル送信リソース２４−１を開放し、セクタ８５におけるキャリア周波数ｆc2での個別チャネル送信の模擬を停止する。また、ベースバンド信号受信部１２ｂ内の個別チャネル受信リソース３２−１を開放し、セクタ８５におけるキャリア周波数Ｆc2での個別チャネル受信の模擬を停止する。
【００９７】
これによって、試験端末１４の位置ＬＯＣ４におけるキャリア周波数ｆc2(下り)、Ｆc2(上り)からｆc1(下り)、Ｆc1(上り)への周波数間ハンドオーバーが実現される。
【００９８】
以上のように、１つの試験端末が同時に通信を行うセクタ、キャリア周波数は限られており、試験端末と通信を行う基地局においても試験端末が同時に通信を行えるだけのセクタ、キャリア周波数分の送受信機能を模擬できればよく、試験端末の位置に応じて複数基地局模擬部にて模擬するセクタ、キャリア周波数を切り替えることで仮想フィールドにおける無数の基地局と試験端末との通信を模擬することができる。
【００９９】
このように、システム制御部１０は、試験端末１４と基地局とが通話を行うために使用する個別チャネルの送受信制御では、試験端末１４が同時に通信を行う基地局のセクタ、キャリア周波数でのみ模擬し、試験端末１４の移動に伴なうハンドオーバー処理に従って模擬する基地局、セクタ、キャリア周波数を切り替えるように基地局制御部１１を制御するようになっている。
【０１００】
なお、この実施の形態では、位置ＬＯＣ３や位置ＬＯＣ３でのハンドオーバー処理において、複数基地局模擬部内の共通チャネルおよび個別チャネルの送受信リソースに空きが十分あるので、追加すべきセクタ全ての追加を行ってから不要セクタの削除を行ったが、共通チャネルおよび個別チャネルの送受信リソースに空きがない場合には、セクタの追加を行うと同時に不要セクタにおける送受信模擬を停止し、新たに追加されるセクタにおける送受信模擬を行うため共通チャネルおよび個別チャネルの送受信リソースを確保するようにしてもよい。
【０１０１】
また、この実施の形態では、フィールド試験の完全自動化を目的として、システム制御部は、試験端末の移動、発着呼制御および状態管理を行うとしたが、試験端末を自動制御せずに、例えば、試験者が試験端末に通常の操作を行って通話やデータ通信を行うことにより、フィールド試験を実施するようにしても良い。
【産業上の利用可能性】
【０１０２】
以上のように、この発明にかかる仮想フィールド試験装置は、限られた数の共通チャネルおよび個別チャネルのリソースを用いて無数の基地局を含む仮想フィールドにおける無線移動端末のフィールド試験を行うのに有用であり、特に、無線移動端末と通信を行う基地局の動作を模擬するのに適している。
【図面の簡単な説明】
【０１０３】
【図１】この発明の一実施の形態である仮想フィールド試験装置の構成を示すブロック図である。
【図２】図１に示す複数基地局模擬部におけるベースバンド信号送信部の構成例を示すブロック図である。
【図３】図１に示す複数基地局模擬部におけるベースバンド信号受信部の構成例を示すブロック図である。
【図４】図２に示す送信リソースの数と図３に示す受信リソースの数との決定方法を説明する図である。
【図５】図１に示すシステム制御部が基地局制御部に与える基地局運用パラメータの一例を示す図である。
【図６】図１に示す試験端末が装備するキャリア周波数の一例を示す図である。
【図７】仮想フィールドの構成例および試験端末の移動経路を説明する図である。
【図８】図７に示す試験端末の移動経路部分を拡大して示す図である。
【図９】図８に示す初期位置ＬＯＣ１での試験動作を説明するフローチャートである（その１）。
【図１０】図８に示す初期位置ＬＯＣ１での試験動作を説明するフローチャートである（その２）。
【図１１】図８に示す移動後の位置ＬＯＣ２での試験動作を説明するフローチャートである（その１）。
【図１２】図８に示す移動後の位置ＬＯＣ２での試験動作を説明するフローチャートである（その２）。
【図１３】図８に示す移動後の位置ＬＯＣ３での試験動作を説明するフローチャートである（その１）。
【図１４】図８に示す移動後の位置ＬＯＣ３での試験動作を説明するフローチャートである（その２）。
【符号の説明】
【０１０４】
１０  システム制御部、
１１  基地局制御部、
１２  複数基地局模擬部、
１２ａ  ベースバンド信号送信部、
１２ｂ  ベースバンド信号受信部、
１３  電波伝搬路環境生成部、
１４  無線移動端末（試験端末）、
２１，２２，２３，２４  下りチャネルベースバンド処理部、
２１−１〜２１−Ｋ  報知チャネル送信リソース、
２２−１〜２２−Ｌ  パイロットチャネル送信リソース、
２３−１〜２３−Ｍ  ページングチャネル送信リソース、
２４−１〜２４−Ｎ  個別チャネル送信リソース、
３１，３２  上りチャネルベースバンド処理部、
３１−１〜３１−Ｐ  ランダムアクセスチャネル受信リソース、
３２−１〜３２−Ｑ  個別チャネル受信リソース、
４０  仮想フィールド、
４１  基地局１（ＢＴＳ１）カバーエリア、
４２  基地局２（ＢＴＳ２）カバーエリア、
４３  基地局３（ＢＴＳ３）カバーエリア、
４５  試験端末の初期位置、
４６  試験端末の移動経路、
８１〜８５  試験端末の移動経路に存するセクタ、
ＬＯＣ１〜ＬＯＣ４  試験端末の試験位置。
【図１】
2005244690.tif 000003
【図２】
2005244690.tif 000004
【図３】
2005244690.tif 000005
【図４】
2005244690.tif 000006
【図５】
2005244690.tif 000007
【図６】
2005244690.tif 000008
【図７】
2005244690.tif 000009
【図８】
2005244690.tif 000010
【図９】
2005244690.tif 000011
【図１０】
2005244690.tif 000012
【図１１】
2005244690.tif 000013
【図１２】
2005244690.tif 000014
【図１３】
2005244690.tif 000015
【図１４】
2005244690.tif 000016